(57)【要約】      （修正有）【課題】低廉なコストで作製することができかつ簡単に取り付けが可能な扉開閉操作具を提供する。【解決手段】扉開閉操作具１００は、扉Ｄ１の前面に固定される基部１１０と、基部１１０が扉Ｄ１に固定されたときに基部１１０から前方に突出するように形成される足掛部１２０ａ、１２０ｂとを備える。この扉開閉操作具１００を扉Ｄ１に取り付けることにより、ユーザは足を足掛部１２０ａ、１２０ｂに引っ掛けて扉Ｄ１の開閉操作を行えるようになる。【選択図】図２
0003227836.tif 000002
【実用新案登録請求の範囲】
【請求項１】
扉の前面に固定される基部と、該基部が前記扉の前面に固定されたときに該基部から前方に突出するように形成される足掛部とを備えることを特徴とする扉開閉操作具。
【請求項２】
前記足掛部は、足との接触部分に滑り止め部が形成されていることを特徴とする請求項１に記載の扉開閉操作具。
【請求項３】
前記足掛部は、先端に緩衝部材が設けられていることを特徴とする請求項１または２に記載の扉開閉操作具。
【考案の詳細な説明】
【技術分野】
【０００１】
本考案は、扉の開操作および閉操作を行うために扉に取り付けて使用される扉開閉操作具に関するものであり、特には、扉の開操作および閉操作を、手を使わずに足で行えるようにする扉開閉操作具に関する。
【背景技術】
【０００２】
通常、開き戸や引き戸といった手動扉の開閉操作は、取手や引手を把持して手で行われる。しかし、例えば、スーパーマーケットやコンビニエンスストアに設置されている大型の冷蔵庫や、各種施設における玄関やトイレの出入口に設けられている扉の場合、取手や引手が不特定多数の者に触れられるために不衛生となりやすく感染症のまん延の一因となり得る。また、荷物を持つなどして両手がふさがっている場合には、一旦荷物を床等に下ろしてから扉の開閉操作を行わなければならず面倒が生じていた。
【０００３】
このような事情を鑑みて、手を使わずに足を使って扉の開閉操作を可能とする器具や装置が提案されている。例えば、冷蔵庫本体等の筐体に設けられたドアに取り付けられて、外部から足で操作される操作部とドアを押圧して開放する押圧部とを有して、ユーザが足で操作部を操作することにより、ドアの初期の開動作を行うようにしたドア開放機構がある（例えば、特許文献１参照）。
【先行技術文献】
【特許文献】
【０００４】
【特許文献１】特開平１０−２５３２３９号公報
【考案の概要】
【考案が解決しようとする課題】
【０００５】
特許文献１記載のドア開放機構を扉に取り付ければ、足での開操作が可能となるので、上記の衛生面の問題や、手がふさがっているときの面倒を解消することができる。しかしながら、特許文献１記載のドア開放機構は複雑な構造を採るため、作製と扉への取付作業に時間とコストがかかることが考えられる。
【０００６】
そこで、本考案は、低廉なコストで作製することができかつ簡単に取り付け可能な扉開閉操作具を提供することを課題とするものである。
【課題を解決するための手段】
【０００７】
上記課題を解決するために本考案が採った手段は、扉の前面に固定される基部と、該基部が前記扉の前面に固定されたときに該基部から前方に突出するように形成される足掛部とを備えることを特徴とする扉開閉操作具、である。
【０００８】
このように構成された扉開閉操作具を扉に取り付けることにより、ユーザは足を足掛部に掛けて扉の開閉操作を行えるようになる。また、簡素な構成を採るため簡単に作製することができ、扉への取付作業も短時間で行うことができる。
【０００９】
また、前記足掛部は、足との接触部分に滑り止め部が形成されてもよい。
【００１０】
こうすることで、ユーザの足と足掛部との「掛かり」が良くなるので、開閉操作の際に足掛部から足が不意に外れてしまうことが防止される。また、足掛部にかけた力が逃げにくくなるので、扉の開閉操作をスムーズに行えるようになる。
【００１１】
また、前記足掛部は、先端に緩衝部材が設けられてもよい。
【００１２】
例えば、蝶番式の開き戸に扉開閉操作具を取り付けた場合において、扉の開き角度が大きくなったときに、基部から突出して形成される足掛部が、扉に隣接する壁や家具等に接触して傷を付けたりする虞がある。そこで、足掛部の先端に緩衝部材を設けることにより、これを防止することができるようになる。
【考案の効果】
【００１３】
本考案に係る扉開閉操作具によれば、ユーザは扉に手を触れることなく、足を足掛部に掛けて開閉操作を行えるようになるので、両手が塞がっているときの利便性が向上するとともに、感染症のまん延防止の一助となり得る。また、部品点数が少なく簡素な構成を採用するので、低廉なコストで作製することができ、扉への取り付けも簡単に行うことができる。
【図面の簡単な説明】
【００１４】
【図１】実施例１に係る扉開閉操作具の斜視図である。
【図２】実施例１に係る扉開閉操作具を扉に取り付けた状態を示す斜視図である。
【図３】実施例２に係る扉開閉操作具の斜視図である。
【図４】実施例２に係る扉開閉操作具を扉に取り付けた状態を示す斜視図である。
【図５】実施例３に係る扉開閉操作具の斜視図である。
【図６】実施例３に係る扉開閉操作具を扉に取り付けた状態を示す斜視図である。
【考案を実施するための形態】
【００１５】
本考案は、扉の開操作および閉操作を、手を使わずに足で行えるようにする扉開閉操作具であって、基部と、足掛部とを備える。なお、本明細書および実用新案登録請求の範囲において、「扉」とは、建物や部屋の出入口や、家具や電化製品等の開口部を閉じたり、内部と外部とを遮断する機能を有するものを意味し、左右にスライドさせて開閉する引き戸および蝶番で止められた部分を軸にして弧を描いて開閉する開き戸が含まれる。
【００１６】
基部は、扉の前面に固定される部分である。基部の形状や大きさは、後に詳述する足掛部にユーザが足を掛けて操作する際に、扉から容易に外れることがなくかつ扉の開方向または閉方向にかけた力が逃げにくいものあれば特に限定されるものではなく、例えば、扉の前面との接触面積を広く確保できるように平板状に形成することができる。また、扉への取付手段も、上記機能を確保できるものであれば特に限定されるものではなく、例えば、基部と扉の前面とにネジ穴を形成し、これらのネジ穴にネジを螺合することにより取り付けたり、基部と扉との間に両面粘着テープ等の接着剤を介在させて取り付けたりすることができる。
【００１７】
足掛部は、ユーザが扉の開閉操作をするときに足を掛けるために形成される部分であり、基部が扉に固定された状態のときに前方に突出するようにして形成される。足掛部の形状や大きさは、扉開閉操作具が取り付けられる扉の形態（開き戸や引き戸）に応じて、ユーザが足を掛けやすくかつ扉の開方向または閉方向にかけた力が逃げにくいものであれば特に限定されるものではなく、例えば、板状または棒状の部材を屈曲加工したり組み合わせたりして形成することができる。
【００１８】
また、足掛部には、ユーザの足が接触する部分に滑り止め部を形成してもよい。滑り止め部は、開閉操作時にユーザの足が足掛部から容易に外れることを防止するために形成されるものであり、例えば、接触部分を凹凸状や鋸刃状に形成したり、ゴム材等の滑り止め部材を取り付けたりして形成することができる。
【００１９】
さらに、足掛部には、その先端に緩衝部材を設けてもよい。扉開閉操作具が扉に取り付けられた状態のとき、足掛部は扉の前方に突出した状態となる。このため、扉開閉操作具を、例えば、蝶番式の開き戸に取り付けた場合には、その扉の開き角度が不意に大きくなったときに、足掛部の先端が扉に隣接する壁や家具等に当たって傷を付けたりする虞がある。そこで、足掛部の先端に緩衝部材を設けて、このような事態を防止することができる。緩衝部材は、例えば、ゴムやシリコン等の樹脂系エラストマやスポンジ等から作製することができる。
【００２０】
なお、扉開閉操作具を構成する基部および足掛部の材質は、足での開閉操作に支障のない強度を備えるものであれば特に限定されるものではなく、例えば、ステンレススチールやアルミ合金等の金属、プラスチック、木材、硬質ゴム等を用いて作製することができる。また、基部と足掛部とは一体形成してもよいし、別部材として形成してもよい。
【００２１】
以下に、本考案の実施形態を図に基づいて説明する。
【実施例１】
【００２２】
図１および図２には、実施例１に係る扉開閉操作具１００が示されている。この扉開閉操作具１００は、左右にスライドさせて開閉を行う引き戸Ｄ１に適用されるものであり、基部１１０と、足掛部１２０とを備える。
【００２３】
基部１１０は、細長い矩形に形成されたステンレス製の板材から形成されている。そして、基部１１０の前面１１０ａには、２つの足掛部１２０ａ、１２０ｂが設けられている。また、基部１１０の背面１１０ｂには、図示しない両面粘着テープが設けられている。
【００２４】
足掛部１２０ａは、基部１１０の長手方向の一端部分を前面１１０ａ側に垂直に屈曲させて形成されている。一方、足掛部１２０ｂは、ステンレス製の板材からなり、基部１１０の長手方向の他端寄りの位置に足掛部１２０ａから離間して垂設されている。こうして、足掛部１２０ａ、１２０ｂの間には、ユーザの足先が受容される空間Ｓが形成される。
【００２５】
こうして形成される扉開閉操作具１００は、図２に示すようにして引き戸Ｄ１に取り付けられる。すなわち、扉開閉操作具１００は、基部１１０の背面１１０ｂに設けた図示しない両面粘着テープによって引き戸Ｄ１の前面下部に接着固定される。そして、ユーザが足先を空間Ｓに差し入れてから足掛部１２０ａまたは１２０ｂに当接させて、引き戸Ｄ１の開方向または閉方向（図２に示す矢印Ａ方向またはＢ方向）に動かすことで引き戸Ｄ１の開閉操作を行うことができる。
【００２６】
実施例１にかかる扉開閉操作具１００によれば、引き戸Ｄ１の開閉操作を足で簡単に行えるようになる。このため、ユーザは引き戸Ｄ１の取手に直接手を触れないで済むので、開閉操作を衛生的に行えるようになり、また、荷物を持って手がふさがっている場合であっても、わざわざ荷物を降ろさずに済むので面倒を解消することができる。
【実施例２】
【００２７】
図３および図４には、実施例２に係る扉開閉操作具１００が示されている。実施例２に係る扉開閉操作具１００は、蝶番式の開き戸Ｄ２に適用されるものである。この扉開閉操作具１００は、基部１１０と足掛部１２０とに加えて、これらの間に中間部１３０を備えている。基部１１０と、足掛部１２０と、中間部１３０とは、１枚のステンレス製の板材を屈曲させることによって一体に形成されている。
【００２８】
基部１１０は、中間部１３０の一端部分がその上面１３０ａ側に向けて垂直に屈曲して形成されている。そして、基部１１０の平面上には、３つのネジ孔１１１が等間隔で穿設されている。
【００２９】
足掛部１２０は、中間部１３０の他端部分がその上面１３０ａ側に向けて  垂直に屈曲して形成されており、その上端部分には鋸刃状の滑り止め部１２１が形成されている。また、足掛部１２０の先端面１２２には、ボタン型に形成されたシリコンゴムからなる２つの緩衝部材１２３が設けられている。
【００３０】
こうして形成される扉開閉操作具１００は、図４に示すようにして開き戸Ｄ２に取り付けられる。すなわち、扉開閉操作具１００は、基部１１０に設けた３つのネジ孔１１１のそれぞれに図示しないネジを挿通し、開き戸Ｄ２に形成された図示しないネジ孔に螺合させることによって、開き戸Ｄ２の前面下部に固定される。そして、ユーザが足裏を足掛部１２０の上端に掛けて、開き戸Ｄ２の開方向または閉方向（図４に示す矢印Ａ方向またはＢ方向）に動かすことで、開き戸Ｄ２の開閉操作を行うことができる。
【００３１】
実施例２にかかる扉開閉操作具１００によれば、開き戸Ｄ２の開閉操作を、足を使って簡単に行えるようになる。このため、ユーザは開き戸Ｄ２の取手に直接手を触れないで済むので、開閉操作を衛生的に行えるようになり、また、荷物を持って手がふさがっている場合であっても、わざわざ荷物を降ろさずに済むので面倒を解消することができる。また、足掛部１２０に滑り止め部１２１を形成したことにより、ユーザの足裏と足掛部１２０との引っ掛かりが良くなるので、開閉操作の際に足が足掛部１２０から外れることが防止されてスムーズな開閉操作が可能となる。さらに、足掛部１２０の先端面１２２に緩衝部材１２３を設けたので、開き戸Ｄ２の開き角度が大きくなったときに、扉に隣接する壁や家具等に当たったとしても、傷を付けたりすることを防止することができる。
【実施例３】
【００３２】
図５および図６には、実施例３に係る扉開閉操作具１００が示されている。実施例３に係る扉開閉操作具１００は、スライド式の引き戸Ｄ１と蝶番式の開き戸Ｄ２の両方に適用できるものであり、基部１１０と、足掛部１２０とを備えてなる。
【００３３】
基部１１０は、細長矩形のステンレス製の板材から形成されている。そして、基部１１０の前面１１０ａには、足掛部１２０が設けられている。また、基部１１０の背面１１０ｂには、図示しない両面粘着テープが設けられている。
【００３４】
足掛部１２０は、略Ｌ字型に屈曲されたステンレス製のパイプ材から形成されており、その一端が基部１１０の前面１１０ａに取り付けられてなる。また、足掛部１２０の他端には保護キャップ１２４が取り付けられている。
【００３５】
こうして形成される扉開閉操作具１００は、図６に示すようにして引き戸Ｄ１または開き戸Ｄ２に取り付けられる。すなわち、扉開閉操作具１００は、基部１１０の背面１１０ｂに設けた図示しない両面粘着テープによって引き戸Ｄ１または開き戸Ｄ２の前面下部に接着固定される。そして、ユーザが足を足掛部１２０に引っ掛けて、引き戸Ｄ１または開き戸Ｄ２の開方向または閉方向（図６に示す矢印Ａ、Ｃ方向またはＢ、Ｄ方向）に動かすことで、引き戸Ｄ１または開き戸Ｄ２の開閉操作を行うことができる。
【００３６】
実施例３にかかる扉開閉操作具１００によれば、引き戸Ｄ１または開き戸Ｄ２の開閉操作を足を使って簡単に行えるようになる。このため、ユーザは扉の取手に直接手を触れないで済むので、開閉操作を衛生的に行えるようになり、また、荷物を持って手がふさがっている場合であっても、わざわざ荷物を降ろさずに済むので面倒を解消することができる。また、足掛部１２０を、パイプ材を屈曲させて形成したので、ユーザが足をしっかりと引っ掛けられるようになって、重たい扉であってもスムーズな開閉操作が可能となる。
【００３７】
なお、本考案は上記実施例の形態に限定されるものではなく、実用新案登録請求の範囲に記載された範囲、実施形態の範囲で種々の変形例、組み合わせが可能であり、これらの変形例、組み合わせも権利範囲に含むものである。
【００３８】
例えば、上記実施例１では、足掛部１２０ａ、１２０ｂを平板状に形成しているが、これに替えて、棒状の部材をコの字状に屈曲させたものを用いてもよい。また、足掛部の取付位置や取付数は、基部の形状や大きさ等に応じて適宜設定することができる。
【００３９】
また、上記実施例３では、基部１１０を細長矩形に形成しているが、これに替えて、Ｌ字型、Ｔ字型、Ｈ型などの形状に形成してもよい。
【産業上の利用可能性】
【００４０】
本考案に係る扉開閉操作具は、建物や部屋の出入口に設けられる扉や、家具や電化製品等に設けられる扉に適用することができる。
【符号の説明】
【００４１】
１００  扉開閉操作具
１１０  基部
１２０  足掛部
１２１  滑り止め部
１２３  緩衝部材
【図１】
0003227836.tif 000003
【図２】
0003227836.tif 000004
【図３】
0003227836.tif 000005
【図４】
0003227836.tif 000006
【図５】
0003227836.tif 000007
【図６】
0003227836.tif 000008